(57)【要約】本発明は、ディーゼル・エンジン燃料のための磁気調質装置に関し、燃料供給ラインに沿って配置され、燃料入口及び燃料出口を有し、かつ入る燃料を逸らすために入口に対応する隔膜を提供するハウジング要素と、少なくとも２つの対向する磁気要素に提供され、燃料が強いられる経路とを備える。強いられる経路に沿って、流れる燃料に磁界を生じる。
2006501400.tif 000002
【特許請求の範囲】
【請求項１】
ディーゼル・エンジン燃料のための磁気調質装置であって、燃料供給ラインに沿って配置され、燃料入口及び燃料出口を有し、かつ入口燃料を逸らすために前記入口に対応する隔膜を提供するハウジング要素と、燃料が強いられる経路とを備え、前記燃料が強いられる経路に沿う少なくとも２つの対向する磁気要素が提供され、流れる燃料に磁界を生じる磁気調質装置。
【請求項２】
前記装置は、中央円筒状ハブを提供することを特徴とする請求項１に記載のディーゼル・エンジン燃料のための磁気調質装置。
【請求項３】
前記強いられる経路は、前記装置内に前記燃料のための長い経路を確保にするような形状を有することを特徴とする請求項２又は３に記載のディーゼル・エンジン燃料のための磁気調質装置。
【請求項４】
前記磁界は、永久磁石によって作られることを特徴とする請求項１から３のいずれか一項に記載のディーゼル・エンジン燃料のための磁気調質装置。
【請求項５】
前記永久磁石は、耐腐食の保護被覆を有するネオジウム磁石からなることを特徴とする請求項４に記載のディーゼル・エンジン燃料のための磁気調質装置。
【請求項６】
前記永久磁石は、フェライトからなることを特徴とする請求項１から３のいずれか一項に記載のディーゼル・エンジン燃料のための磁気調質装置。
【請求項７】
２つの永久磁石は、対向して取り付けられて提供され、前記磁石は、前記燃料流に面する面上に反対の分極を有することを特徴とする請求項１から６のいずれか一項に記載のディーゼル・エンジン燃料のための磁気調質装置。
【請求項８】
前記磁気要素は、永久磁石が提供される対向する２つの強磁性要素からなることを特徴とする請求項１から６のいずれか一項に記載のディーゼル・エンジン燃料のための磁気調質装置。
【請求項９】
前記永久磁石は、前記燃料流に面する面の反対の分極を有する、一体のタブレット又はリングからなることを特徴とする請求項８に記載のディーゼル・エンジン燃料のための磁気調質装置。
【請求項１０】
前記永久磁石は、一体のタブレット又はリングからなり、同一の強磁性材料で並んで配置された前記永久磁石間の交互の分極を有し、それぞれ互いに対向して面する反対の分極を有する永久磁石を提供することを特徴とする請求項８に記載のディーゼル・エンジン燃料のための磁気調質装置。
【請求項１１】
前記永久磁石は、強磁性材料であさがお状に形成される、又は強磁性材料に対して突出することを特徴とする請求項８、９、又は１０に記載のディーゼル・エンジン燃料のための磁気調質装置。
【請求項１２】
前記永久磁石は、馬蹄形状を有することを特徴とする請求項８又は９に記載のディーゼル・エンジン燃料のための磁気調質装置。
【請求項１３】
前記装置は、互いに取り外し可能に結合された、下方部分及び上方部分又は蓋を備えることを特徴とする請求項１から１２のいずれか一項に記載のディーゼル・エンジン燃料のための磁気調質装置。
【請求項１４】
突出する要素は、好ましくは容器内側に提供される金属要素を備えることを特徴とする請求項１から１３のいずれか一項に記載のディーゼル・エンジン燃料のための磁気調質装置。
【請求項１５】
前記突出する要素は、前記装置の内側表面の一方又は両方に提供されることを特徴とする請求項１４に記載のディーゼル・エンジン燃料のための磁気調質装置。
【請求項１６】
大気通気口を備えることを特徴とする請求項１から１５のいずれか一項に記載のディーゼル・エンジン燃料のための磁気調質装置。
【請求項１７】
前記装置は、中央本体及び２つの蓋、すなわちそれぞれ上方蓋及び下方蓋からなることを特徴とする請求項１から１６のいずれか一項に記載のディーゼル・エンジン燃料のための磁気調質装置。
【請求項１８】
実質的に図示されかつ記載された請求項１から１７のいずれか一項に記載のディーゼル・エンジン燃料のための磁気調質装置。
【発明の詳細な説明】
【技術分野】
【０００１】
本発明は、ディーゼル・エンジン燃料用の磁気調質装置に関する。
【０００２】
より詳細には、本発明は、ディーゼル燃料に存在する不純物の向上した分離を可能にし、したがってディーゼル燃料のより良好なイオン化をもたらす磁気調質装置に関する。
【背景技術】
【０００３】
様々な磁界を用いてディーゼル・エンジン燃料の純度を改善する多くの装置が、何年も前から知られている。
【０００４】
例えば、１９９２年９月１７日に出願された、ＡＺ  ｉｎｄｕｓｔｒｉｅｓ、ｉｎｃｏｒｐｏｒａｔｅｄの名義の米国特許第５１６１５１２号、及び対応する欧州特許第０６１３３９９号には、流体用の磁気調質装置が記載され、適切に整列された磁石の対向する磁極には、燃料が流れる導管の中心軸に対してさまざまに傾斜された径方向ラインが与えられている。
【０００５】
１９９４年３月２９日に出願された米国特許第５３５９９７９号には、適切に画定した空間によって分割された環状永久磁石の内側孔内に延在する、強磁性材料から作られたプラグを有する流体用の磁気調質装置が記載されている。一対の強磁性体端部は、一対のプレートに結合される。磁石は、燃料内で滑動する集束され集中された磁界を放出する。
【０００６】
Ｇｉｕｓｅｐｐｅ  Ｇｒｉｅｃｏの名義で、１９９３年８月３日に出願されたイタリア国特許第１２６９２４６号には、水及び炭化水素の処理のための潜在的に高い磁界の粒子調整装置が記載され、２つの固定装置に背後を結合した一連の４対の永久磁石からなり、空気間隙は、液体アダクション（内転）チャネルに関して軸方向に整合して配置され、２つの円錐台部分が、チャネルを空気間隙に接続する。
【０００７】
ＢＩ．ＭＡ．ＴＥＣ  Ｓ．ｒ．ｌの名義で、１９９８年１０月２７日に出願されたイタリア国実用新案第２４４５８４号には、液体燃料が流れるチューブの周囲の取り付けを行う、流体用の磁気調質装置のための可変閉鎖体が記載されている。
【０００８】
Ｒｏｂｅｒｔｏ  Ｍｏｒｒｉｓの名義で、１９９７年３月１１日に出願されたイタリア国特許第１２９１２５２号には、磁界による流体の磁気調質のための装置が記載され、装置は、チューブ内を流れる燃料を通過する磁界を作るように、流体導通のための反磁性チューブの外側に設けられた永久磁石を提供する。
【０００９】
Ｏｌａｆ  Ｆｊｅｌｄｓｅｎｄ  Ａ／Ｓの名義で、１９８６年９月３０日に出願されたイタリア国特許第１１９７３４６号には、流れる液体の磁気処理のための設備が記載されている。
【００１０】
Ｍｅａｒｌ  Ｅ．Ｅｌｌｉｓｏｎの名義で、１９９３年１月２８日に出願された米国特許第５１４１２９６号には、複数のロッド状要素に配置した永久磁石を内側チャンバに提供する、水用の磁気調質装置が記載されている。
【００１１】
Ｇａｌｅ  Ｍ．Ｗｅｉｓｅｍｂａｒｇｅｒ及びＪｏｈｎ  Ｃ．Ｍｏｒａｎの名義で、１９８７年１２月８日に出願された米国特許第４７１１２７１号には、流れ密度を増大するように磁気流路を有する磁気調質装置が記載されている。
【００１２】
Ｅｌｍｅｒ  Ｂ．Ｍａｓｏｎの名義で、１９９６年８月２０日に出願された米国特許第５７１６５２０号には、流体磁気調質装置が記載されている。
【００１３】
市場で利用可能な別の解決策は、Ａｌｇａ−ｅｘ  Ｉｎｔｅｒｎａｔｉｏｎａｌによって販売されているものである。
【発明の開示】
【発明が解決しようとする課題】
【００１４】
ディーゼル・エンジン燃料から不純物を分離する問題に向けられた多くの解決策が知られているにしても、既知の解決策も、最適な分離を得ることができない。
【００１５】
これに関連して、ディーゼル・エンジン燃料から不純物の分離を最適化することを可能にし、それによって向上したイオン化効果を実現する、本発明によって示唆される解決策が含まれる。
【００１６】
本発明のさらなる目的は、各寸法を有する装置を実現することができる解決策を提供することである。
【００１７】
本発明のさらに他の目的は、上述の種類の装置であって、燃料が、流れの外側に配置されているが導管内にある少なくとも２つの磁石によって作られた磁界を通過する、提供することである。
【課題を解決するための手段】
【００１８】
したがって、本発明の特定の目的は、ディーゼル・エンジン燃料のための磁気調質装置であって、燃料供給ラインに沿って配置され、燃料入口及び燃料出口を有し、かつ入口燃料を逸らすために入口に対応する隔膜を提供するハウジング要素と、燃料が強いられる経路とを備え、この強いられる経路に沿う少なくとも２つの対向する磁気要素を設けられ、流れる燃料に磁界を生じるものでなる。
【００１９】
好ましくは、本発明によれば、前記装置は、中央円筒状ハブを備える。
【００２０】
さらに本発明によれば、前記強いられる経路は、装置内に燃料の長い通路を確保するような形状である。
【００２１】
常に本発明によれば、磁界が、耐腐食の保護被覆を有する、好ましくはネオジウム磁石である永久磁石によって作られる。
【００２２】
さらに本発明によれば、この永久磁石は、フェライトとすることができる。
【００２３】
好ましくは、本発明によれば、２つの永久磁石は、対向して取り付けられて提供され、これら磁石は、燃料流に面する面に反対の分極を有する。
【００２４】
本発明による装置の別の実施例において、前記磁気要素は、２つの強磁性の対向する要素からなり、これら要素の上に永久磁石が設けられ、これら永久磁石は、好ましくはタブレット又はリング形状であり、燃料流に面する面に対向した分極を有し、或いは同一の強磁性材料に並んで配置された永久磁石間の交互の分極が、それぞれ互いに対向して面する反対の分極を有する永久磁石を設けられる。
【００２５】
前記永久磁石は、強磁性材料であさがお状に形成され、又は強磁性材料に対して突出されることができる。
【００２６】
特に、前記永久磁石要素は、馬蹄形状を有する。
【００２７】
好ましくは本発明によれば、前記装置は、互いに取り外し可能に結合される、下方部分及び上方部分又は蓋を備える。
【００２８】
本発明によれば常に、突出要素は、好ましくは容器内側に提供された金属要素を備える。
【００２９】
好ましくは、前記突出要素は、装置の１つ又は両方の内側表面に設けられる。
【００３０】
さらに本発明によれば、装置には大気通知を設けることができる。
【００３１】
さらに本発明によれば、前記装置は、中央本体及び２つの蓋、すなわちそれぞれ上方及び下方蓋からなることができる。
【００３２】
本発明を、特に添付の図面を参照してその好ましい実施例により、例示的であるが制限する目的ではなく説明する。
【実施例】
【００３３】
様々な添付図面に示す装置は、永久磁石によって生じた磁界を用いて、ディーゼル・エンジン燃料に存在する分子のイオン化の現象を引き起こすことにより、エンジンの悪い動作を引き起こし、フィルタを詰まらせ、かつタンク内のスラジの蓄積を生成することがあるフィルタ及びタンク内に蓄積する粒子の分離を達成する。
【００３４】
様々な類似する又は対応する要素が、同一の参照符号によって示される添付図面を参照し、最初に図１から図３及び図９から図１８を見ると、ボックス１を備える本発明による装置が判かり、ボックス１内では、壁及び中央円筒状体によって画定される円筒状空間が実現されている。この空間内には、隔膜２が、流体燃料の入口（矢印Ａによって示される）に対応して設けられ、流体燃料を、磁界がその中に生成される壁と円筒状ハブとの間の導管を包含するように強いる。
【００３５】
本発明による装置の幾何形状は、イオン化作用の高い効率が得られるように、磁界内での流体燃料の長い経路を確実にするように研究されている。
【００３６】
図面から分かるように、燃料の生成は、好ましくは磨耗保護被覆を有するネオジウム磁石、又はフェライト磁石、又は他の種類の磁石など永久磁石４によって得られる。
【００３７】
フェライトを用いるセラミックス磁石に反してネオジウムを使用することは、同一の幾何形状寸法で、他の磁石よりはるかに大きな磁界の高い強度を得ることが可能であり、したがって性能の増大を得る。
【００３８】
添付の図面を見ると、磁石の形状及び配置が刷新されていることが判かる。
【００３９】
図１から図３及び図７から図８の実施例の磁石は、互いに対向する２つのリング形状の永久磁石４からなるが、図４から図６に示す実施例では、強磁性材料から作られる２つの対向するリングからなり、リング上に、円筒状の一体のタブレット形状又はリング形状の永久磁石４が取り付けられる。リング磁石及び磁石を担持する強磁性リングは、燃料が、ボックス１の内側に向かって面するそれらの表面及びそのボックスの壁によって画定される、装置内側の導管を通って流れるように離間され、ボックスの同一の材料からなり、又は部分的に強磁性材料からなり、又は他の材料からなることができる、装置ボックス１の中央に配置された円筒状体上に底部（下方リング）５上にかつ蓋（上方リング）６の下にそれぞれ配置される。
【００４０】
図１９から図２１及び図２２から図２３において、本発明による装置の２つの別の実施例が示され、前の実施例の要素に対応する要素が、同一の参照符号によって示されている。
【００４１】
上述の図に示す２つの解決策において、磁石４に加えて、突出する金属要素７が追加され、燃料の乱流を改善する。
【００４２】
２つの実施例間の相違は、突出する要素７が、全ての２つの表面に（図１９から図２１）、又は底部５だけに（図２２から図２３）に提供され、この選択は、本発明による装置の寸法及び本発明による装置の用途に応じる。
【００４３】
さらに、図２０の装置において、容器１内に危険に蓄積することがある空気を通気するための通気口８が示される。通気口８の準備も、本発明による装置の寸法及び本発明による装置の用途による。
【００４４】
リング永久磁石の使用を提供する実施例において、磁気分極は、各リングの上方及び下方面で反対であり、リングは、内側導管に向かって面するそれらの表面は、反対の分極であるように取り付けられる。
【００４５】
強磁性リング及び複数の永久磁石が提供されるとき、永久磁石は、円筒状タブレット又はリング形状を有し、そのタブレットの完全に対向する面のＮ極及びＳ極は、単一の列又は複数の列に沿って強磁性リング上の取り付けられるべきそのような寸法を有する。
【００４６】
複数の永久磁石が設けられる場合、磁石は、強磁性ねじではなく、単一又は複数の円にしたがって設けられる固定された結合装置によってリングに固定され、同じ磁気分極は各リングの表面に向かって面する。
【００４７】
十分に明らかなように、導管の内側に面するタブレットの表面は、流体における乱流を作るために、それらが取り付けられる強磁性リングの同じ表面であさがお状に形成され、又はわずかに突出することができる。前記乱流は、本発明による装置の作用を促進する確実な作用を有する。
【００４８】
この配置によって、各強磁性リングは、単一の磁気分極が流れる空間に向かって面する単一の永久磁石になる。
【００４９】
磁気タブレットの配置は、下方リング及び上方リングが、反対の分極を有するように実施され、したがってそれらの間に含まれる内側空間に、高い強度の均一な磁界を作る。
【００５０】
強磁性材料から作られるなら、中央円筒体は、下方強磁性リングと接触するが、磁界が出る空間を作るように、上方リングに対して強磁性材料ではない材料で作られる円筒状スペーサを有する。
【００５１】
装置ボックスの側方壁の被覆として配置されることができる、わずかな厚み及び内側が空の強磁性円筒体からなるさらなる実施例をさらに提供する。この解決方法は、装置のボックス外側に実質的に磁界の取消しを可能にし、したがって外側空間に関して低減された磁気抵抗を有する、上方リングと下方リングとの間に磁界を閉鎖するための経路を実現する。
【００５２】
全ての記載された構造的な選択は、装置が適用されるエンジン出力によって必要な燃料流体のための循環チャネルの寸法の大きさ及び分配を得ることを可能にする。
【００５３】
さらに、構造的及び技術的な解決方法の使用は、装置外側に分散される磁界を制限し、かつ燃料流体の提示に関して有用な空間内側に磁界を集中することを可能にする。
【００５４】
本発明は、その好ましい実施例に応じて、例示の目的で制限する目的ではなく記載されたが、修正及び／又は変更は、請求項に定義される関連する範囲から逸脱することなく、当業者によって導入されることができることは理解される。
【図面の簡単な説明】
【００５５】
【図１】本発明による装置の第１の実施例の概略的な斜視図である。
【図２】図１の装置の第１の断面図である。
【図３】図１の装置の第２の断面図である。
【図４】本発明による装置の第２の実施例の概略的な斜視図である。
【図５】図４の装置の第１の断面図である。
【図６】図４の装置の第２の断面図である。
【図７】第１の実施例による装置の平面図である。
【図８】図７の装置の断面図である。
【図９】本発明による装置の第１の実施例の下方部品の平面図である。
【図１０】図９の全体装置の断面図である。
【図１１ａ】図１の本発明による第２の実施例の下方部品の平面図である。
【図１１ｂ】図１の本発明による第２の実施例の上方部品の平面図である。
【図１２】図１０の全体装置の断面図である。
【図１３ａ】図１の本発明による第３の実施例の下方部品の平面図である。
【図１３ｂ】図１の本発明による第３の実施例の上方部品の平面図である。
【図１４】図１３の全体装置の断面図である。
【図１５ａ】図１の本発明による第４の実施例の下方部品の平面図である。
【図１５ｂ】図１の本発明による第４の実施例の上方部品の平面図である。
【図１６】図１５の全体装置の断面図である。
【図１７ａ】図１の本発明による第５の実施例の下方部品の平面図である。
【図１７ｂ】図１の本発明による第５の実施例の上方部品の平面図である。
【図１８】図１７の全体装置の断面図である。
【図１９ａ】図１の本発明による第６の実施例の下方部品の平面図である。
【図１９ｂ】図１の本発明による第６の実施例の上方部品の平面図である。
【図２０】図１９ａ及び図１９ｂの装置の平面図である。
【図２１】図１９ｂの要素の斜視図である。
【図２２ａ】本発明による第７の実施例の下方部品の平面図である。
【図２２ｂ】本発明による第７の実施例の上方部品の平面図である。
【図２３】図２２ａ及び図２２ｂの装置の平面図である。
【図１】
2006501400.tif 000003
【図２】
2006501400.tif 000004
【図３】
2006501400.tif 000005
【図４】
2006501400.tif 000006
【図５】
2006501400.tif 000007
【図６】
2006501400.tif 000008
【図７】
2006501400.tif 000009
【図８】
2006501400.tif 000010
【図９】
2006501400.tif 000011
【図１０】
2006501400.tif 000012
2006501400.tif 000013
【図１２】
2006501400.tif 000014
2006501400.tif 000015
【図１４】
2006501400.tif 000016
2006501400.tif 000017
【図１６】
2006501400.tif 000018
2006501400.tif 000019
【図１８】
2006501400.tif 000020
2006501400.tif 000021
【図２０】
2006501400.tif 000022
【図２１】
2006501400.tif 000023
2006501400.tif 000024
【図２３】
2006501400.tif 000025
【手続補正書】
【提出日】平成16年10月21日(2004.10.21)
【手続補正１】
【補正対象書類名】特許請求の範囲
【補正対象項目名】全文
【補正方法】変更
【補正の内容】
【特許請求の範囲】
【請求項１】
ディーゼル・エンジン燃料のための磁気調質装置であって、燃料供給ラインに沿って配置され、燃料入口及び燃料出口を有し、かつ入口燃料を逸らすために前記入口に対応する壁を提供するハウジング要素と、燃料が強いられる経路とを備え、前記燃料が強いられる経路に沿う少なくとも２つの対向する磁気要素が提供され、流れる燃料に磁界を生じる磁気調質装置。
【請求項２】
前記装置は、中央円筒状ハブを提供することを特徴とする請求項１に記載のディーゼル・エンジン燃料のための磁気調質装置。
【請求項３】
前記強いられる経路は、前記装置内に前記燃料のための長い経路を確保にするような形状を有することを特徴とする請求項２又は３に記載のディーゼル・エンジン燃料のための磁気調質装置。
【請求項４】
前記磁界は、永久磁石によって作られることを特徴とする請求項１から３のいずれか一項に記載のディーゼル・エンジン燃料のための磁気調質装置。
【請求項５】
前記永久磁石は、耐腐食の保護被覆を有するネオジウム磁石からなることを特徴とする請求項４に記載のディーゼル・エンジン燃料のための磁気調質装置。
【請求項６】
前記永久磁石は、フェライトからなることを特徴とする請求項１から３のいずれか一項に記載のディーゼル・エンジン燃料のための磁気調質装置。
【請求項７】
２つの永久磁石は、対向して取り付けられて提供され、前記磁石は、前記燃料流に面する面上に反対の分極を有することを特徴とする請求項１から６のいずれか一項に記載のディーゼル・エンジン燃料のための磁気調質装置。
【請求項８】
前記磁気要素は、２つの対向した強磁性要素に設けた永久磁石からなることを特徴とする請求項１から６のいずれか一項に記載のディーゼル・エンジン燃料のための磁気調質装置。
【請求項９】
前記永久磁石は、前記燃料流に面する面の反対の分極を有する、一体のタブレット又はリングからなることを特徴とする請求項８に記載のディーゼル・エンジン燃料のための磁気調質装置。
【請求項１０】
前記永久磁石は、一体のタブレット又はリングからなり、同一の強磁性材料で並んで配置された前記永久磁石間の交互の分極を有し、それぞれ互いに対向して面する反対の分極を有する永久磁石を提供することを特徴とする請求項８に記載のディーゼル・エンジン燃料のための磁気調質装置。
【請求項１１】
前記永久磁石は、強磁性材料であさがお状に形成される、又は強磁性材料に対して突出することを特徴とする請求項８、９、又は１０に記載のディーゼル・エンジン燃料のための磁気調質装置。
【請求項１２】
前記永久磁石は、馬蹄形状を有することを特徴とする請求項８又は９に記載のディーゼル・エンジン燃料のための磁気調質装置。
【請求項１３】
前記装置は、互いに取り外し可能に結合された、下方部分及び上方部分又は蓋を備えることを特徴とする請求項１から１２のいずれか一項に記載のディーゼル・エンジン燃料のための磁気調質装置。
【請求項１４】
突出する要素は、好ましくは容器内側に提供される金属要素を備えることを特徴とする請求項１から１３のいずれか一項に記載のディーゼル・エンジン燃料のための磁気調質装置。
【請求項１５】
前記突出する要素は、前記装置の内側表面の一方又は両方に提供されることを特徴とする請求項１４に記載のディーゼル・エンジン燃料のための磁気調質装置。
【請求項１６】
大気通気口を備えることを特徴とする請求項１から１５のいずれか一項に記載のディーゼル・エンジン燃料のための磁気調質装置。
【請求項１７】
前記装置は、中央本体及び２つの蓋、すなわちそれぞれ上方蓋及び下方蓋からなることを特徴とする請求項１から１６のいずれか一項に記載のディーゼル・エンジン燃料のための磁気調質装置。
【国際調査報告】
2006501400.tif 000026
2006501400.tif 000027
2006501400.tif 000028